(57)【要約】【課題】組み付け工数の増加及びフードインナパネルの剛性の低下を招くことなく、衝突時に、衝突物に対する衝撃力を低減できる車両のフード構造を提供する。【解決手段】スティフナ部１２の板厚をストライカ支持部１１の板厚よりも薄くして、ストライカ支持部１１における支持剛性を、従前通り、高く維持する一方、ストライカ支持部１１までの剛性が要求されず衝突物に対する衝撃力を考慮する必要があるスティフナ部１２に関しては、その剛性を低下させる。これにより、ストライカ支持部１１及びスティフナ部１２の本来の機能を確保しつつ、衝突時に、衝突物に対する衝撃力を低減し、また、フードアウタパネルの裏面を別部材で補強する作業、フードインナパネル４に脆弱部を設けることを不要とする。【選択図】        図２
2007069643.tif 000002
【特許請求の範囲】
【請求項１】
車体前部を開閉可能に覆うフードが、該フードの外面を形成するフードアウタパネルと、該フードアウタパネルよりも該フードの内面側に配置されて該フードの内面を形成するフードインナパネルとを備え、前記フードアウタパネルと前記フードインナパネルとの間にフードストライカレインフォースメントが配設され、前記フードストライカレインフォースメントが、前記車体前部に対する係合用ストライカを支持するためのストライカ支持部と、該ストライカ支持部よりも車体後方側に連続的に位置されて前記フードアウタパネルの前記フードインナパネル側への変形を抑制するスティフナ部と、を備えている車両のフード構造において、
前記スティフナ部の剛性が、前記ストライカ支持部の剛性よりも低くされている、
ことを特徴とする車両のフード構造。
【請求項２】
請求項１において、
前記スティフナ部の板厚が、前記ストライカ支持部の板厚よりも薄くされている、
ことを特徴とする車両のフード構造。
【請求項３】
請求項１又は２において、
前記ストライカ支持部と前記スティフナ部とが別部材からなり、
前記フードストライカレインフォースメントが、前記ストライカ支持部と前記スティフナ部とを結合することにより形成されている、
ことを特徴とする車両のフード構造。
【請求項４】
車体前部を開閉可能に覆うフードが、該フードの外面を形成するフードアウタパネルと、該フードアウタパネルよりも該フードの内面側に配置されて該フードの内面を形成するフードインナパネルとを備え、前記フードアウタパネルと前記フードインナパネルとの間にフードストライカレインフォースメントが配設され、前記フードストライカレインフォースメントが、前記車体前部に対する係合用ストライカを支持するためのストライカ支持部と、該ストライカ支持部よりも車体後方側に連続的に位置されて前記フードアウタパネルの前記フードインナパネル側への変形を抑制するスティフナ部と、を備えている車両のフード構造において、
前記フードストライカレインフォースメントが、前記ストライカ支持部と前記スティフナ部との境界部分において、貫通孔を有している、
ことを特徴とする車両のフード構造。
【請求項５】
請求項４において、
前記ストライカ支持部と前記スティフナ部との境界部分が、前記フードインナパネルに対して離間されている、
ことを特徴とする車両のフード構造。
【請求項６】
請求項４において、
前記ストライカ支持部と前記スティフナ部とが別部材からなり、
前記フードストライカレインフォースメントが、前記ストライカ支持部と前記スティフナ部とを結合することにより形成され、
前記スティフナ部、前記ストライカ支持部の少なくともいずれかに切り欠き孔が形成されて、該スティフナ部と該ストライカ支持部とが、該スティフナ部と該ストライカ支持部との結合部付近において、協働して前記貫通孔を形成している、
ことを特徴とする車両のフード構造。
【請求項７】
請求項４において、
前記スティフナ部が、前記ストライカ支持部と前記スティフナ部との境界部分から前記フードアウタパネルに向けて立ち上げられて、該スティフナ部に立ち上がり部が形成され、
前記フードインナパネルが、前記ストライカ支持部と前記スティフナ部との境界部分よりも車体後方側において、前記フードアウタパネルに向けて立ち上げられて、該フードインナパネルに立ち上がり部が形成され、
前記スティフナ部の立ち上がり部と前記フードインナパネルの立ち上がり部との車体前後方向の間隔が、上方に向うに従って拡げられている、
ことを特徴とする車両のフード構造。
【請求項８】
請求項１〜７のいずれかにおいて、
前記スティフナ部に、孔が形成されている、
ことを特徴とする車両のフード構造。
【発明の詳細な説明】
【技術分野】
【０００１】
本発明は、車両のフード構造に関する。
【背景技術】
【０００２】
車両のフード構造としては、一般的に、特許文献１の従来技術（（図３）参照）に示すように、フードを、フードアウタパネルとフードインナパネルとで形成し、そのフードアウタパネルとフードインナパネルとの間にフードストライカレインフォースメントを配設し、そのフードストライカレインフォースメントを、車体前部に対する係合用トライカを支持するためのストライカ支持部と、そのストライカ支持部よりも車体後方側に連続的に位置させてフードアウタパネルのフードインナパネル側への変形を抑制するスティフナ部と、で構成（具体的にはサブアッシー化）したものが知られている。
【０００３】
このような一般的なフード構造においては、衝突物に対する衝撃力の緩和が考慮されておらず、衝突時に、衝突物(例えば歩行者）が受ける衝撃力を低減することは容易ではない。このため、特許文献１においては、衝突物に対する衝撃力を緩和すべく、フードストライカレインフォースメントからスティフナ部を除き、それに換えて、デントシートをフードアウタパネル裏面に固定（フードアウタパネルの裏面を別部材で補強）すると共に、フードインナパネルにスリットを形成(脆弱部形成）することが行われている。
【特許文献１】特開２００２−３７１２９号公報
【発明の開示】
【発明が解決しようとする課題】
【０００４】
しかし、上記フード構造においては、デントシートの固定のために余分に組み付け工数増えると共に、フードインナパネルの剛性が確保しにくくなる。
【０００５】
本発明は以上のような事情に鑑みてなされたもので、その技術的課題は、組み付け工数の増加及びフードインナパネルの剛性の低下を招くことなく、衝突時に、衝突物に対する衝撃力を低減できる車両のフード構造を提供することにある。
【課題を解決するための手段】
【０００６】
前記技術的課題を達成するために本発明（請求項１に係る発明）においては、
車体前部を開閉可能に覆うフードが、該フードの外面を形成するフードアウタパネルと、該フードアウタパネルよりも該フードの内面側に配置されて該フードの内面を形成するフードインナパネルとを備え、前記フードアウタパネルと前記フードインナパネルとの間にフードストライカレインフォースメントが配設され、前記フードストライカレインフォースメントが、前記車体前部に対する係合用ストライカを支持するためのストライカ支持部と、該ストライカ支持部よりも車体後方側に連続的に位置されて前記フードアウタパネルの前記フードインナパネル側への変形を抑制するスティフナ部と、を備えている車両のフード構造において、
前記スティフナ部の剛性が、前記ストライカ支持部の剛性よりも低くされている構成としてある。この請求項１の好ましい態様としては請求項２、３の記載の通りとなる。
【０００７】
前記技術的課題を達成するために本発明（請求項４に係る発明）においては、
車体前部を開閉可能に覆うフードが、該フードの外面を形成するフードアウタパネルと、該フードアウタパネルよりも該フードの内面側に配置されて該フードの内面を形成するフードインナパネルとを備え、前記フードアウタパネルと前記フードインナパネルとの間にフードストライカレインフォースメントが配設され、前記フードストライカレインフォースメントが、前記車体前部に対する係合用ストライカを支持するためのストライカ支持部と、該ストライカ支持部よりも車体後方側に連続的に位置されて前記フードアウタパネルの前記フードインナパネル側への変形を抑制するスティフナ部と、を備えている車両のフード構造において、
前記フードストライカレインフォースメントが、前記ストライカ支持部と前記スティフナ部との境界部分において、貫通孔を有している構成としてある。この請求項４の好ましい態様としては請求項５以下の記載の通りとなる。
【発明の効果】
【０００８】
請求項１に記載された発明によれば、スティフナ部の剛性が、ストライカ支持部の剛性よりも低くされていることから、ストライカ支持部における支持剛性を、従前通り、高く維持できる一方、ストライカ支持部までの剛性が要求されず衝突物に対する衝撃力を考慮する必要があるスティフナ部に関しては、その剛性を低下させて適正化できる。このため、ストライカ支持部及びスティフナ部の本来の機能を確保しつつ、衝突時に、衝突物に対する衝撃力を低減できる。
しかもこの場合、フードアウタパネルの裏面を別部材で補強する作業は必要ではなく、フードインナパネルに脆弱部を設けることも必要ではない。このため、フードインナパネルの剛性の低下及び組み付け工数の増加を招くこともない。
【０００９】
請求項２に記載された発明によれば、スティフナ部の板厚がストライカ支持部の板厚よりも薄くされていることから、板厚を変えるだけで具体的且つ簡単に前記請求項１と同様の作用効果を得ることができる。
【００１０】
請求項３に記載された発明によれば、ストライカ支持部とスティフナ部とが別部材からなり、フードストライカレインフォースメントが、ストライカ支持部とスティフナ部とを結合することにより形成されていることから、ストライカ支持部、スティフナ部の剛性を的確に調整するために、ストライカ支持部及びスティフナ部の各板厚、各材料を簡単に変えることができる。
【００１１】
請求項４に記載された発明によれば、フードストライカレインフォースメントが、ストライカ支持部とスティフナ部との境界部分において、貫通孔を有していることから、ストライカ支持部、スティフナ部の板厚、形状等を従前のままに維持しつつ、貫通孔に基づき脆弱部を形成することができる。このため、ストライカ支持部及びスティフナ部の本来の機能を確保しつつ、衝突時に、衝突物に対する衝撃力を低減でき、しかも、フードインナパネルの剛性の低下及び組み付け工数の増加を招くこともない。
【００１２】
請求項５に記載された発明によれば、ストライカ支持部とスティフナ部との境界部分が、フードインナパネルに対して離間されていることから、境界部分がフードインナパネルに当接するまでの変形ストロークを確保できることになり、衝突時に、効果的に衝突物に対する衝撃力を低減できる。
【００１３】
請求項６に記載された発明によれば、ストライカ支持部とスティフナ部とが別部材からなり、フードストライカレインフォースメントが、ストライカ支持部とスティフナ部とを結合することにより形成され、スティフナ部、ストライカ支持部の少なくともいずれかに切り欠き孔が形成されて、該スティフナ部と該ストライカ支持部とが、該スティフナ部と該ストライカ支持部との結合部付近において、協働して貫通孔を形成していることから、別部材としてのストライカ支持部とスティフナ部との結合を利用して、ストライカ支持部とスティフナ部との結合部付近（境界部分）に貫通孔を簡単に形成できる。
【００１４】
請求項７に記載された発明によれば、スティフナ部が、ストライカ支持部とスティフナ部との境界部分からフードアウタパネルに向けて立ち上げられて、スティフナ部に立ち上がり部が形成され、フードインナパネルが、ストライカ支持部とスティフナ部との境界部分よりも車体後方側において、フードアウタパネルに向けて立ち上げられて、フードインナパネルに立ち上がり部が形成され、スティフナ部の立ち上がり部とフードインナパネルの立ち上がり部との車体前後方向の間隔が、上方に向うに従って拡げられていることから、衝突時に、スティフナ部における立ち上がり部が、ストライカ支持部とスティフナ部との境界部分における脆弱部(貫通孔付近）を中心として、フードインナパネルに向けて回動（変形）することが考えられるが、そのような変形(回動）が生じたとしても、スティフナ部の立ち上がり部とフードインナパネルの立ち上がり部との車体前後方向の間隔が、上方に向うに従って拡げられていることに基づき、スティフナ部の変形ストロークを確保できる。このため、衝突時に、衝突物に対する衝撃力を一層、低減できる。
【００１５】
請求項８に記載された発明によれば、スティフナ部に孔が形成されていることから、スティフナ部の剛性を容易に調整できる。
【発明を実施するための最良の形態】
【００１６】
図１〜図３において、符号１は、車両２の車体前部を開閉可能に覆うフードである。フード１は、フード１の外面を形成するフードアウタパネル３と、フードアウタパネル３よりもフード１の内面側に配置されてフード１の内面を形成するフードインナパネル４とを備えており、そのフードアウタパネル３とフードインナパネル４とは、該両者３，４間に内部空間５を形成するようにしつつ結合されている。フードアウタパネル３は、車体前端から滑らかな湾曲面をもって立ち上がり、それに続いて、車体後方に向かうに従って徐々に上方に向かうように延びている。フードインナパネル４は、フードアウタパネル３の前端から略水平状態をもって車体後方側に延びる前側部６と、その前側部６の後端から急勾配をもって立ち上がってその上端がフードアウタパネル３から所定間隔だけ離間する位置まで延びる立ち上がり部７と、その立ち上がり部７の上端から車体後方側に、フードアウタパネル３から離れた状態を維持しつつ延びる主部８とを備えており、そのうち、前側部６には、車幅方向中央部において、後述のストライカ１３を通すためのストライカ用貫通孔９が形成されている。
【００１７】
前記フードアウタパネル３と前記フードインナパネル４との間には、図２，図３に示すように、フードストライカレインフォースメント１０が配設されている。フードストライカレインフォースメント１０は、ストライカ支持部１１とスティフナ部１２とを備えている。本実施形態においては、ストライカ支持部１１とスティフナ部１２とは別部材とされ、その別部材であるストライカ支持部１１とスティフナ部１２とを並設状態で結合することにより、フードストライカレインフォースメント１０が構成されている。具体的には、フードストライカレインフォースメント１０は、テーラードブランクにより形成され、その結合体が一部品として扱われる（サブアッシー化）。
【００１８】
前記ストライカ支持部１１は、図１〜図４に示すように、車体前部におけるラッチ３０に係合させるストライカ１３を支持するべく、前記フードインナパネル４における前側部６上に、車幅方向中央部において配置されている。このストライカ支持部１１は、板材（例えば金属材）により形成されており、その板厚Ｌ１は、ストライカ１３の支持剛性を確保する観点から決定されている。
【００１９】
このストライカ支持部１１は、車幅方向に延びる比較的長尺な形状をしており、そのストライカ支持部１１の延び方向両端部には脚部１４が設けられている（図４参照）。その両脚部１４はフードインナパネル４に結合されており、その両脚部１４により、ストライカ支持部１１の大部分（両脚部１４間に存在する部分）は、フードインナパネル４の前側部６から若干、上方に浮き上がった状態で保持されている。
【００２０】
このストライカ支持部１１は、その前側において膨出部１５を有し、その膨出部１５の後方側にはフランジ部１６を有している。膨出部１５は、ストライカ支持部１１の延び方向略全長に亘って、上方に向けて突出されており、その突出高さは、車幅方向中央から車幅方向外方に向かうに従って次第に高くなっている。この膨出部１５の前面１７は、フードアウタパネル３に沿うように傾斜されており、その膨出部１５の前面１７とフードアウタパネル３との間には、フードアウタパネル３を支えるべく、緩衝材としての充填材１８が介在されている。この膨出部１５の前面１７は、その車幅方向両端側において前記脚部１４に連なっており、これにより、膨出部１５の前面１７によるフードアウタパネル３の支持作用が保持されている。
【００２１】
フランジ部１６は、ストライカ支持部１１の延び方向略全長に亘って設けられており、そのフランジ部１６は、フード１が閉じられているとき、略水平状態となるように設定されている。このフランジ部１６は、フードインナパネル４における前側部６の上方に位置されており、その前側部６とフランジ部１６の間には、所定の間隔Ｓがあけられている。
【００２２】
また、ストライカ支持部１１の延び方向中央部には、膨出部１５の突出高さが他の部分に比べて低くなることを利用して、略平坦な支持部１９が形成されており、その支持部１９の裏面にストライカ１３が溶接等により固定されている。ストライカ１３は、前記フードインナパネル４のストライカ用貫通孔９を介して外方に突出されており、フード１が閉じられたときには、そのストライカ１３は、車体側のラッチ３０に係合されてロックされる。
【００２３】
前記スティフナ部１２は、開状態にあるフード１を閉止する場合等に、人がフードアウタパネル３を下方に押す程度の力に対しては、その変形を抑制し、歩行者との衝突に対する衝撃力に対しては脆弱な剛性を示すものであり、このスティフナ部１２は、図２〜図４に示すように、ストライカ支持部１１の車体後方側において、そのストライカ支持部１１と略同じ程度、車幅方向に延ばされている。このスティフナ部１２は、板材（例えば金属材）により形成されており、その板厚Ｌ２は、衝突物（例えば歩行者）に対する衝撃力の低減を考慮して、前記ストライカ支持部１１の板厚Ｌ１よりも薄くされ、そのスティフナ部１２の剛性は、ストライカ支持部１１の剛性よりも低くされている。
【００２４】
スティフナ部１２は、具体的には、フードアウタパネル３に向けて突出する樋状の膨出部２０と、その膨出部２０の前側下端から車体前方に張り出す前側フランジ部２１と、膨出部２０の後側下端から車体後方に張り出す後側フランジ部２２と、を備えている。膨出部２０は、前記ストライカ支持部１１におけるフランジ部１６からフードアウタパネル３近傍まで垂直に立ち上がる立ち上がり部としての前壁部２３を有している。この前壁部２３には、車幅方向中央部であって上下方向内方側において、車幅方向に延びる長孔２４が形成され、その前壁部２３の下部には、その車幅方向両側において、比較的広い長さをもって車幅方向に延びる切り欠き孔２５が形成されている。また、膨出部２０は、フードアウタパネル３に近接した状態で該フードアウタパネル３に沿いつつ車体後方側に一定幅だけ延びる頂部２６を有している。この頂部２６とフードアウタパネル３との間にも、緩衝材としての充填材１８が介在されており、頂部２６は、フードアウタパネル３を充填材１８を介して支持している。さらに、膨出部２０は、頂部２６の後端に連続する後壁部２７を有している。この後壁部２７は、頂部２６の後端から車体後方側に向かうに従って下方に向かうように傾斜しており、その後壁部２７の先端は、フードインナパネル４の立ち上がり部７近傍において、該フードインナパネル４における主部８に至っている。この後壁部２７の下部にも、切り欠き孔２５が形成されている（図３参照）。
【００２５】
前記前側フランジ部２１は、本実施形態においては、スティフナ部１２の延び方向両端部、延び方向略中央部にそれぞれ設けられており、その３つの前側フランジ部２１は、前記ストライカ支持部１１のフランジ部１６に結合されている。これにより、各切り欠き孔２５は、切り欠き孔２５周囲の前壁部２３部分とストライカ支持部１１におけるフランジ部１６とに区画されて、ストライカ支持部１１とスティフナ部１２との境界部分である結合部２８付近に貫通孔２９が形成され、その結合部２８付近に脆弱部が構成されることになる。
【００２６】
前記後側フランジ部２２も、スティフナ部１２の延び方向方向両端部、延び方向略中央部にそれぞれ設けられており、その３つの後側フランジ部２２は、フードインナパネル４における立ち上がり部７近傍において、該フードインナパネル４における主部８に結合されている。これにより、後壁部２７とフードインナパネル４の主部８との間においても、切り欠き孔２５に基づき、貫通孔２９が形成されることになっている。
【００２７】
したがって、このようなフード構造においては、スティフナ部１２の板厚がストライカ支持部１１の板厚よりも薄くされていることから、ストライカ支持部１１における支持剛性を、従前通り、高く維持できる一方、ストライカ支持部１１までの剛性が要求されず衝突物に対する衝撃力を考慮する必要があるスティフナ部１２に関しては、その剛性を低下させて適正化することができる。しかも本実施形態においては、ストライカ支持部１１とスティフナ部１２との結合部２８付近において、貫通孔２９（２５）が形成されて、その結合部２８付近が脆弱部に構成され、さらには、スティフナ部１２に長孔２４が形成されてその剛性が低下されている。このことから、ストライカ支持部１１及びスティフナ部１２の本来の機能を確保しつつ、衝突時に、衝突物に対する衝撃力を確実に低減できる。勿論この場合、デントシート等の新たな固定作業は必要ではなく、フードインナパネル４にスリットを形成することも必要ではない。このため、フードインナパネル４の剛性の低下及び組み付け工数の増加を招くこともない。
【００２８】
また、ストライカ支持部１１とスティフナ部１２とが別部材からなり、フードストライカレインフォースメント１０が、ストライカ支持部１１とスティフナ部１２とを結合することにより形成されていることから、ストライカ支持部１１、スティフナ部１２の剛性を的確に調整するために、ストライカ支持部の板厚、スティフナ部の板厚を簡単に変えることができる。
【００２９】
さらに、ストライカ支持部１１とスティフナ部１２との境界部分である結合部２８付近が脆弱部に構成されている一方、その結合部２８がフードインナパネル４から離間していることから、衝突時に、結合部２８がフードインナパネル４に当接するまでの変形ストロークを確保できる。さらには、上方に向かうほど、スティフナ部１２の前壁部２３とフードインナパネル４の立ち上がり部７との車体前後方向の間隔が拡がっていることから、衝突時に、スティフナ部１２における前壁部２３が、ストライカ支持部１１とスティフナ部１２との結合部２８を中心として、フードインナパネル４に向けて回動するような変形が生じたとしても、その変形（回動）に対してスティフナ部１２の変形ストロークを確保できる。このため、このような構造の下においては、衝突時に、効果的に衝突物に対する衝撃力を低減できる。
【００３０】
以上実施形態について説明したが、本発明においては次のような態様を包含する。
（１）上記実施形態では、フードストライカレインフォースメント１０として、ストライカ支持部１１とスティフナ部１２とを別部材で構成し、それらを結合したものを用いたが、そのフードストライカレインフォースメント１０に換えて、当初から、ストライカ支持部１１とスティフナ部１２とが一体化されたもの(一体成形物）を用いること。
（２）ストライカ支持部１１とスティフナ部１２とを別部材で構成するに際し、剛性を調整するために、特性の異なる材料を適宜選択すること。
【図面の簡単な説明】
【００３１】
【図１】実施形態に係るフード構造を組み込まれた車両を示す斜視図。
【図２】図１のＡ−Ａ線拡大断面図。
【図３】図１のＢ−Ｂ線拡大断面図。
【図４】フードアウタパネル３を除いた状態フード構造を示す拡大斜視図。
【符号の説明】
【００３２】
１  フード
２  車両
３  フードアウタパネル
４  フードインナパネル
７  フードインナパネルの立ち上がり部
１０  フードストライカレインフォースメント
１１  ストライカ支持部
１２  スティフナ部
１３  ストライカ
２３  前壁部(スティフナ部の立ち上がり部）
２４  長孔(孔）
２５  切り欠き孔
２８  ストライカ支持部とスティフナ部との結合部(境界部分）
２９  貫通孔
Ｌ１  ストライカ支持部の板厚
Ｌ２  スティフナ部の板厚
【図１】
2007069643.tif 000003
【図２】
2007069643.tif 000004
【図３】
2007069643.tif 000005
【図４】
2007069643.tif 000006